(57)【要約】【課題】ボタン電話装置のメモリを多く消費することなく、かつ、最小限のデータ量で読み出しを可能とするボタン電話装置のデータ設定方法およびシステムを実現する。【解決手段】電話装置のそれぞれは、前記センターにより共通なデータが設定された後に、個々に設定された特有データを記憶する記憶手段と、前記センターからの共通データを設定する旨の設定データ変更要求を受け付けたときに前記記憶手段より前記特有データを読み出して前記センターへ送付し、その後前記センターより送られてくるデータにより設定を行う制御部と、を具備し、前記センターは、前記電話装置に共通データを設定するときに、前記設定データ変更要求を前記電話装置に送付し、その後送られてきた前記特有データと前回設定した共通データとを加えた加算データを作成し、今回設定を行う共通データと前記加算データとの差分データを送付する制御装置を具備する。【選択図】図１
2007259220.tif 000002
【特許請求の範囲】
【請求項１】
個々に特有の特有データを設定可能な複数の電話装置と、
前記複数の電話装置に共通な共通データを設定するセンターとを含み、
前記電話装置のそれぞれは、前記センターにより共通なデータが設定された後に、個々に設定された特有データを記憶する記憶手段と、前記センターからの共通データを設定する旨の設定データ変更要求を受け付けたときに前記記憶手段より前記特有データを読み出して前記センターへ送付し、その後前記センターより送られてくるデータにより設定を行う制御部と、を具備し、
前記センターは、前記電話装置に共通データを設定するときに、前記設定データ変更要求を前記電話装置に送付し、その後送られてきた前記特有データと前回設定した共通データとを加えた加算データを作成し、今回設定を行う共通データと前記加算データとの差分データを送付する制御装置を具備することを特徴とする電話装置のデータ設定システム。
【請求項２】
請求項１記載の電話装置のデータ設定システムにおいて、
記憶手段は、設定データおよび特有データを記憶するデータ記憶領域と、前記データ記憶領域における前記特有データを記憶する領域を記憶する変更データ記憶領域とからなり、制御部は前記変更データ記憶領域を参照して前記データ記憶領域から前記特有データを読み出す電話装置のデータ設定システム。
【請求項３】
個々に特有の特有データを設定可能な複数の電話装置と、前記複数の電話装置に共通な共通データを設定するセンターとを含むシステムで行われる電話装置のデータ設定方法であって、
前記電話装置のそれぞれで行われる、
前記センターにより共通なデータが設定された後に、個々に設定された特有データを記憶するステップと、
前記センターからの共通データを設定する旨の設定データ変更要求を受け付けたときに前記特有データを前記センターへ送付するステップと、
その後前記センターより送られてくるデータにより設定を行うステップと、
前記センターで行われる、前記電話装置に共通データを設定するときに、前記設定データ変更要求を前記電話装置に送付し、その後送られてきた前記特有データと前回設定した共通データとを加えた加算データを作成し、今回設定を行う共通データと前記加算データとの差分データを送付するステップと、を具備することを特徴とする電話装置のデータ設定方法。
【発明の詳細な説明】
【技術分野】
【０００１】
本発明は、ボタン電話装置と、該ボタン電話装置のデータ設定を行う遠隔地にあるセンターとからなるシステムおよび該システムにおけるボタン電話装置のデータ設定方法に関する。
【背景技術】
【０００２】
事業所などに配置されているボタン電話装置について、機能をバージョンアップすることや、配置換えに伴って設定を変更することをボタン電話装置が配置されている場所から遠隔地に置かれているセンターが電話回線を通じてリモート設定することが行われている。
【０００３】
このようなリモート設定の技術として、特許文献１（特開２００１−９２６２６号公報）に開示される技術がある。
【０００４】
特許文献１に開示されるリモート設定技術は、遠隔の機器に複数の制御データを設定する際の通信データ量を低減することを目的とし、予め設定された初期制御データとその時点での制御データとの排他的論理和をとってから圧縮して送信するものであり、この結果、制御データが初期制御データから変更される割合が低いシステムにおいて、機器間の通信データ量を大幅に低減することができる旨が特許文献１に記載されている。
【０００５】
ボタン電話装置に対してあらたなデータ設定を遠隔地から行う場合、センター側に設置された制御装置が、モデム、電話回線を通じて、ボタン電話装置に設定されているデータ内容を読み出して変更している。これは、ボタン電話装置の場合にはボタン電話装置を利用している利用者独自の設定、例えば着信音や登録短縮番号などの設定を残すためである。
【特許文献１】特開２００１−９２６２６号公報
【発明の開示】
【発明が解決しようとする課題】
【０００６】
ボタン電話装置のデータとセンター側と同期をとるために全データを読み込もうとするが、ボタン電話装置の機能増加に伴いデータ量も増えているため、読み込み時間も増加している。特許文献１に開示される技術は制御データが初期制御データから変更される割合が低いシステムを対象としたものであるが、本発明が対象とするような事業所などに配置されているボタン電話装置は、その数が多く、また、ボタン電話装置利用者個々による設定も多岐に亘るため、読み込み時間の増加が顕著となる。
【０００７】
ボタン電話装置とセンター側が接続し、データを変更している間は、ボタン電話装置の利用が禁止されることが一般的であり、読み込み時間が長くなるとそれだけ、ユーザがボタン電話装置を利用できない時間も長くなるという問題点があった。
【０００８】
また、複数のセンターから一つのボタン電話装置のデータを設定する場合に、ボタン電話装置側で、常にデータ変更履歴を記憶しておき、センター側から前回接続した日時を通知して、それ以降の履歴から差分データのみをセンターに送るという方法もあるが、その場合、ボタン電話装置個々に、履歴を記憶しておくための十分なメモリを確保する必要があり、システムを構築するための費用が高くなるという問題点がある。
【０００９】
本発明は上述したような従来の技術が有する問題点に鑑みてなされたものであって、ボタン電話装置のメモリを多く消費することなく、かつ、最小限のデータ量で読み出しを可能とするボタン電話装置のデータ設定方法およびシステムを実現することを目的とする。
【課題を解決するための手段】
【００１０】
本発明の電話装置のデータ設定システムは、個々に特有の特有データを設定可能な複数の電話装置と、
前記複数の電話装置に共通な共通データを設定するセンターとを含み、
前記電話装置のそれぞれは、前記センターにより共通なデータが設定された後に、個々に設定された特有データを記憶する記憶手段と、前記センターからの共通データを設定する旨の設定データ変更要求を受け付けたときに前記記憶手段より前記特有データを読み出して前記センターへ送付し、その後前記センターより送られてくるデータにより設定を行う制御部と、を具備し、
前記センターは、前記電話装置に共通データを設定するときに、前記設定データ変更要求を前記電話装置に送付し、その後送られてきた前記特有データと前回設定した共通データとを加えた加算データを作成し、今回設定を行う共通データと前記加算データとの差分データを送付する制御装置を具備することを特徴とする。
【００１１】
この場合、記憶手段は、設定データおよび特有データを記憶するデータ記憶領域と、前記データ記憶領域における前記特有データを記憶する領域を記憶する変更データ記憶領域とからなり、制御部は前記変更データ記憶領域を参照して前記データ記憶領域から前記特有データを読み出すこととしてもよい。
【００１２】
本発明の電話装置のデータ設定方法は、個々に特有の特有データを設定可能な複数の電話装置と、前記複数の電話装置に共通な共通データを設定するセンターとを含むシステムで行われる電話装置のデータ設定方法であって、
前記電話装置のそれぞれで行われる、
前記センターにより共通なデータが設定された後に、個々に設定された特有データを記憶するステップと、
前記センターからの共通データを設定する旨の設定データ変更要求を受け付けたときに前記特有データを前記センターへ送付するステップと、
その後前記センターより送られてくるデータにより設定を行うステップと、
前記センターで行われる、前記電話装置に共通データを設定するときに、前記設定データ変更要求を前記電話装置に送付し、その後送られてきた前記特有データと前回設定した共通データとを加えた加算データを作成し、今回設定を行う共通データと前記加算データとの差分データを送付するステップと、を具備することを特徴とする。
【発明の効果】
【００１３】
上記のように構成される本発明の効果について以下に述べる。
【００１４】
ボタン電話装置の場合は、適宜使用しやすいように電話機の設定を変えることは通常行われるものであり、この設定されたデータを考慮せず、センター側から初期データとの差分だけ送ることでは現地にて設定を再度変更しなおす不便さが生じることになる。
【００１５】
着信音の変更とか、短縮ダイヤルの変更など個々の電話機に関する特有データは現地にて設定されており、初期データから変更されているものであり、また装置を設置し、初期データを設定した後、顧客の要求により任意に変更される。従ってこの任意に設定される特有データを初期データ、または前回の設定データからの差分として装置内に記録しておき、センター側からバージョン変更などの場合には、この特有データをセンター側にまず取り込み、この特有データを前回の設定データに加算した加算データと今回の設定データとの差分データを再度ボタン電話装置へデータを送り、ボタン電話装置側にて再度この送られて来たデータを設定することで、大量のデータのやり取りや、現地での設定を再度設定しなおす手間を省くことができるものである。
【００１６】
このように、差分データを一方に送ることだけでなく、送られてきた特有データと前回及び今回の設定データからの差分データから新たな差分データをボタン電話装置へ送り返し、ボタン電話装置が特有データを保持しながらあらたな設定データに変更される仕組みである。特有データのやり取りを行うことにより、個々の設定を行うための必要最小限の差分データが送られるためにデータ伝送量を減少することができ、要する時間を短くすることができる。また、特有データについては各ボタン電話装置にて保持されるため、センター側にて大量のボタン電話装置に関するデータを保持する必要もない。
【発明を実施するための最良の形態】
【００１７】
次に、本発明の実施例について図面を参照して説明する。
【００１８】
図１は本発明によるシステムの一実施例の要部構成を示すブロック図である。
【００１９】
本実施例はボタン電話装置１と、センター２と、ボタン電話装置１とセンター２とを結ぶ電話回線３から構成されている。
【００２０】
図１に示されるように、ボタン電話装置１は、電話回線３によりセンター２間の通信をするための内蔵モデム１２と、設定データを保存しておくためのデータ記憶領域１３、および、変更されたデータ（特有データ）の記憶箇所を記憶しておくためのデータ記憶領域１４を備えており、これらを制御するため制御部１１からなる。
【００２１】
図２はデータ記憶領域１４の構成を示す図であり、データ記憶領域１４は図２に示すようにデータ数分のビット列から構成された領域を複数備えている。
【００２２】
センター２は、電話回線によりボタン電話装置１間の通信をするための内蔵モデム２１と、データを閲覧、編集するための制御装置２２より構成される。
【００２３】
図３は本実施例における動作を示すシーケンス図であり、（ａ）はボタン電話装置１の利用者がボタン電話装置１に独自の設定を行う場合の動作を示し、（ｂ）はセンター２がボタン電話装置１の設定データを変更する場合の動作を示す。
【００２４】
図３（ａ）に示すように、ボタン電話装置１の利用者がボタン電話装置１の設定を変更するための入力を行うと、ボタン電話装置１の制御部１１はデータ記憶領域１３に保存されている設定データを変更するとともに、変更データ記憶領域１４の変更された設定データに該当するデータのビットフラグをたてる。
【００２５】
ボタン電話装置１について、機能をバージョンアップすることや、配置換えに伴って設定を変更する場合、図３（ｂ）に示すように、センター２の制御装置２２は電話回線３を介してボタン電話装置１に接続し、設定データの変更を要求する旨のコマンドを送信する。このコマンドでは、制御装置２２のＩＤの通知、および、制御部１１に対する特有データの要求が含まれている。
【００２６】
ボタン電話装置１の制御部１１は通知されたＩＤによりデータ記憶領域１３に保存される設定データの変更要求を実行することとし、また、特有データの要求に対しては変更データ記憶領域１４ののフラグが立っているデータ記憶領域１３に設定された特有データのみを制御装置２２に送信する。
【００２７】
制御装置２２は前回設定を行った設定データを記憶しており、送られてきた特有データと前回設定を行った設定データとを加算することにより、現在、ボタン電話装置１に設定されているデータ内容と同等の加算データを持つことになる。
【００２８】
制御装置２２は前回設定を行った設定データと加算データとの差分データを送付データとし、ボタン電話装置１に送付する。
【００２９】
ボタン電話装置１の制御部１１は送付データをデータ記憶領域１３に設定するとともに、変更データ記憶領域１４の変更された設定データに該当するデータのビットフラグをたてる。この後、ボタン電話装置１との接続が終了となると、変更データ記憶領域１４の該当する面のデータをクリアする。
【図面の簡単な説明】
【００３０】
【図１】本発明によるシステムの一実施例の要部構成を示すブロック図である。
【図２】図１中のデータ記憶領域１４の構成を示す図である。
【図３】本発明の実施例における動作を示すシーケンス図であり、（ａ）はボタン電話装置１の利用者がボタン電話装置１に独自の設定を行う場合の動作を示し、（ｂ）はセンター２がボタン電話装置１の設定データを変更する場合の動作を示す。
【符号の説明】
【００３１】
１    ボタン電話装置
２    センター
３    電話回線
１１    制御部
１２    内臓モデム
１３    データ記憶領域
１４    変更データ記憶領域
２１    モデム
２２    制御装置
【図１】
2007259220.tif 000003
【図２】
2007259220.tif 000004
【図３】
2007259220.tif 000005